(57)【要約】【課題】操作上の利便性を確保しつつ、その操作と保持とを片手で同時に行う。【解決手段】筐体の所定の面に設けられた表示部と、筐体の所定の面とは異なる面に設けられ、物体が近接または接触した位置を検知することで、スライド操作を含む複数の種類の入力操作のそれぞれを受け付ける入力部と、スライド操作以外の所定の入力操作が受け付けられると、表示部に表示された表示画像の表示状態を変化させる際の複数の種類の態様のいずれかを選択し、スライド操作が受け付けられると、当該スライド操作における物体の移動方向と移動距離とに基づき、表示画像の表示状態を選択した態様で変化させる制御部とを有し、制御部は、複数の種類の態様のいずれかを選択すると、選択した態様で表示画像の表示状態を変化させるときのスライド操作における物体の移動方向をスライド操作の操作者に認識させるためのガイダンス情報を表示部に表示させる携帯表示装置。【選択図】図１
2012230615.tif 000002
【特許請求の範囲】
【請求項１】
筐体の所定の面に設けられた表示部と、
前記筐体の前記所定の面とは異なる面に設けられ、物体が近接または接触した位置を検知することで、前記物体が近接または接触しながら移動するスライド操作を含む複数の種類の入力操作のそれぞれを受け付ける入力部と、
前記複数の種類の入力操作のうち前記スライド操作以外の所定の入力操作が前記入力部にて受け付けられると、前記表示部に表示された表示画像の表示状態を変化させる際の複数の種類の態様のいずれかを選択し、前記入力部にて前記スライド操作が受け付けられると、当該スライド操作における前記物体の移動方向と移動距離とに基づき、前記表示画像の表示状態を前記選択した態様で変化させる制御部と、を有し、
前記制御部は、前記複数の種類の態様のいずれかを選択すると、該選択した態様で前記表示画像の表示状態を変化させるときの前記スライド操作における前記物体の移動方向を前記スライド操作の操作者に認識させるためのガイダンス情報を前記表示部に表示させる携帯表示装置。
【請求項２】
請求項１に記載の携帯表示装置において、
前記複数の種類の態様は、前記表示画像の表示倍率を変化させる態様である拡大縮小態様を含み、
前記制御部は、前記拡大縮小態様を選択した場合、前記スライド操作において前記表示画像の表示倍率を拡大させるときの前記物体の移動方向と、縮小させるときの前記物体の移動方向とを前記スライド操作の操作者に認識させるための情報を前記ガイダンス情報として前記表示部に表示させる携帯表示装置。
【請求項３】
筐体の所定の面に設けられた表示部と、前記筐体の前記所定の面とは異なる面に設けられ、物体が近接または接触した位置を検知することで、前記物体が近接または接触しながら移動するスライド操作を含む複数の種類の入力操作のそれぞれを受け付ける入力部とを有する携帯表示装置における表示状態変更方法であって、
前記複数の種類の入力操作のうち前記スライド操作以外の所定の入力操作が前記入力部にて受け付けられると、前記表示部に表示された表示画像の表示状態を変化させる際の複数の種類の態様のいずれかを選択する選択処理と、
前記選択した態様で前記表示画像の表示状態を変化させるときの前記スライド操作における前記物体の移動方向を前記スライド操作の操作者に認識させるためのガイダンス情報を前記表示部に表示させるガイダンス表示処理と、
前記入力部にて前記スライド操作が受け付けられると、当該スライド操作における前記物体の移動方向と移動距離とに基づき、前記表示画像の表示状態を前記選択した態様で変化させる処理と、を有する表示状態変更方法。
【請求項４】
請求項３に記載の表示状態変更方法において、
前記複数の種類の態様は、前記表示画像の表示倍率を変化させる態様である拡大縮小態様を含み、
前記ガイダンス表示処理は、前記選択処理にて前記拡大縮小態様が選択された場合、前記スライド操作において前記表示画像の表示倍率を拡大させるときの前記物体の移動方向と、縮小させるときの前記物体の移動方向とを前記スライド操作の操作者に認識させるための情報を前記ガイダンス情報として前記表示部に表示させる処理である表示状態変更方法。
【請求項５】
筐体の所定の面に設けられた表示部と、前記筐体の前記所定の面とは異なる面に設けられ、物体が近接または接触した位置を検知することで、前記物体が近接または接触しながら移動するスライド操作を含む複数の種類の入力操作のそれぞれを受け付ける入力部とを有する携帯表示装置に、
前記複数の種類の入力操作のうち前記スライド操作以外の所定の入力操作が前記入力部にて受け付けられると、前記表示部に表示された表示画像の表示状態を変化させる際の複数の種類の態様のいずれかを選択する選択機能と、
前記選択した態様で前記表示画像の表示状態を変化させるときの前記スライド操作における前記物体の移動方向を前記スライド操作の操作者に認識させるためのガイダンス情報を前記表示部に表示させるガイダンス表示機能と、
前記入力部にて前記スライド操作が受け付けられると、当該スライド操作における前記物体の移動方向と移動距離とに基づき、前記表示画像の表示状態を前記選択した態様で変化させる機能と、を実現させるためのプログラム。
【請求項６】
請求項５に記載のプログラムにおいて、
前記複数の種類の態様は、前記表示画像の表示倍率を変化させる態様である拡大縮小態様を含み、
前記ガイダンス表示機能は、前記選択機能にて前記拡大縮小態様が選択された場合、前記スライド操作において前記表示画像の表示倍率を拡大させるときの前記物体の移動方向と、縮小させるときの前記物体の移動方向とを前記スライド操作の操作者に認識させるための情報を前記ガイダンス情報として前記表示部に表示させる機能であるプログラム。
【発明の詳細な説明】
【技術分野】
【０００１】
本発明は、画像を表示することが可能な携帯表示装置、表示状態変更方法およびプログラムに関する。
【背景技術】
【０００２】
タッチパネルを備えた携帯端末等の携帯表示装置の操作者は、タッチパネルに指等の物体で接触することでタッチパネルに表示された表示画像の表示状態を変化させることができる。
【０００３】
操作者は例えば、２本の指でタッチパネルに接触し、接触させたままその２本の指の間の間隔を広げたり、縮めたりすることで、タッチパネルに表示された表示画像の表示倍率を拡大させたり、縮小させたりすることができる。この場合、操作者は片手で携帯表示装置を保持しつつ、もう一方の手の指でタッチパネルを操作することになる。
【０００４】
このように、操作者は、表示画像の表示状態を変化させるための操作と保持とを片手で同時に行うのが難しい場合がある。
【０００５】
そこで、操作者が表示画像の表示状態を変化させるための操作と保持とを片手で同時に行うことを可能にする技術が求められ、これを可能にする技術が例えば、特許文献１に開示されている。
【０００６】
特許文献１に開示されている技術において携帯電話機には、筺体の前面に表示画面が設けられ、筺体の４つの側面のそれぞれにタッチパッドが設けられている。そして、操作者は、その４つのタッチパッドのうちの少なくとも１つに対してスライド操作することで表示画面に表示された画像をスクロールさせたり、表示倍率を変更させたりすることができる。
【先行技術文献】
【特許文献】
【０００７】
【特許文献１】特開２０１０−１１７８４２号公報
【発明の概要】
【発明が解決しようとする課題】
【０００８】
上述した特許文献１に開示されている技術を用いることで操作者は、表示画像の表示状態を変化させるための操作と保持とを片手で同時に行うことが可能となる。
【０００９】
しかし、特許文献１に開示されている技術を用いた場合、操作者は、表示画像の表示状態を変化させる態様毎に、４つのタッチパッドのうちスライド操作するタッチパッドや、スライド操作において指等を移動させる方向を覚えておかなくてはならない。つまり、操作上の利便性が確保されていないという問題点がある。
【００１０】
本発明は、操作上の利便性を確保しつつ、その操作と保持とを片手で同時に行うことを可能にする携帯表示装置、表示状態変更方法およびプログラムを提供することを目的とする。
【課題を解決するための手段】
【００１１】
上記目的を達成するために本発明の携帯表示装置は、
筐体の所定の面に設けられた表示部と、
前記筐体の前記所定の面とは異なる面に設けられ、物体が近接または接触した位置を検知することで、前記物体が近接または接触しながら移動するスライド操作を含む複数の種類の入力操作のそれぞれを受け付ける入力部と、
前記複数の種類の入力操作のうち前記スライド操作以外の所定の入力操作が前記入力部にて受け付けられると、前記表示部に表示された表示画像の表示状態を変化させる際の複数の種類の態様のいずれかを選択し、前記入力部にて前記スライド操作が受け付けられると、当該スライド操作における前記物体の移動方向と移動距離とに基づき、前記表示画像の表示状態を前記選択した態様で変化させる制御部と、を有し、
前記制御部は、前記複数の種類の態様のいずれかを選択すると、該選択した態様で前記表示画像の表示状態を変化させるときの前記スライド操作における前記物体の移動方向を前記スライド操作の操作者に認識させるためのガイダンス情報を前記表示部に表示させる。
【００１２】
また、上記目的を達成するために本発明の表示状態変更方法は、筐体の所定の面に設けられた表示部と、前記筐体の前記所定の面とは異なる面に設けられ、物体が近接または接触した位置を検知することで、前記物体が近接または接触しながら移動するスライド操作を含む複数の種類の入力操作のそれぞれを受け付ける入力部とを有する携帯表示装置における表示状態変更方法であって、
前記複数の種類の入力操作のうち前記スライド操作以外の所定の入力操作が前記入力部にて受け付けられると、前記表示部に表示された表示画像の表示状態を変化させる際の複数の種類の態様のいずれかを選択する選択処理と、
前記選択した態様で前記表示画像の表示状態を変化させるときの前記スライド操作における前記物体の移動方向を前記スライド操作の操作者に認識させるためのガイダンス情報を前記表示部に表示させるガイダンス表示処理と、
前記入力部にて前記スライド操作が受け付けられると、当該スライド操作における前記物体の移動方向と移動距離とに基づき、前記表示画像の表示状態を前記選択した態様で変化させる処理と、を有する。
【００１３】
また、上記目的を達成するために本発明のプログラムは、筐体の所定の面に設けられた表示部と、前記筐体の前記所定の面とは異なる面に設けられ、物体が近接または接触した位置を検知することで、前記物体が近接または接触しながら移動するスライド操作を含む複数の種類の入力操作のそれぞれを受け付ける入力部とを有する携帯表示装置に、
前記複数の種類の入力操作のうち前記スライド操作以外の所定の入力操作が前記入力部にて受け付けられると、前記表示部に表示された表示画像の表示状態を変化させる際の複数の種類の態様のいずれかを選択する選択機能と、
前記選択した態様で前記表示画像の表示状態を変化させるときの前記スライド操作における前記物体の移動方向を前記スライド操作の操作者に認識させるためのガイダンス情報を前記表示部に表示させるガイダンス表示機能と、
前記入力部にて前記スライド操作が受け付けられると、当該スライド操作における前記物体の移動方向と移動距離とに基づき、前記表示画像の表示状態を前記選択した態様で変化させる機能と、を実現させる。
【発明の効果】
【００１４】
本発明は以上説明したように構成されているので、操作上の利便性を確保しつつ、その操作と保持とを片手で同時に行うことが可能となる。
【図面の簡単な説明】
【００１５】
【図１】本発明の携帯表示装置の第１の実施形態の構成を示すブロック図である。
【図２】図１に示した携帯表示装置の外観図である。
【図３】図１に示したタッチパネルに表示されるガイダンス情報の一例を説明するための図である。
【図４】図１〜図３に示した携帯表示装置の動作を説明するためのフローチャートである。
【図５】図１に示したタッチパネルに表示されるガイダンス情報の他の例を説明するための図である。
【図６】本発明の携帯表示装置の第２の実施形態の構成を示すブロック図である。
【発明を実施するための形態】
【００１６】
以下に、本発明の実施の形態について図面を参照して説明する。
【００１７】
（第１の実施形態）
図１は、本発明の携帯表示装置の第１の実施形態の構成を示すブロック図である。また、図２は、図１に示した携帯表示装置１０の外観図である。
【００１８】
本実施形態の携帯表示装置１０は図１に示すように、制御部１１と、表示部であるタッチパネル１２と、入力部であるタッチパッド１３と、記憶部１４とを備えている。
【００１９】
記憶部１４は、タッチパネル１２に表示する画像を示す画像データ等を記憶している。また、記憶部１４は、画像データを画像として表示するための画像アプリケーションを記憶している。
【００２０】
タッチパネル１２は、携帯表示装置１０の筺体の所定の面に設けられている。具体的には、タッチパネル１２は図２に示すように、携帯表示装置１０の筺体の正面に設けられている。タッチパネル１２は、記憶部１４に記憶された画像データが示す画像等を表示する。タッチパネル１２は、携帯表示装置１０の操作者（以降、操作者という）の指等での接触を検知し、検知した接触の位置を示す検知情報を制御部１１へ出力する。
【００２１】
タッチパッド１３は、携帯表示装置１０の筺体のタッチパネル１２とは異なる面に設けられている。具体的には、タッチパッド１３は図２に示すように、携帯表示装置１０の筺体の側面に設けられている。タッチパッド１３は、操作者の指等での接触を検知する。ここで、操作者は、少なくともタップ操作およびスライド操作を含む複数の種類の入力操作をタッチパッド１３に対して行うことができる。タップ操作とは、操作者が指等の物体でタッチパッド１３にごく短い時間接触する操作である。一方、スライド操作とは、操作者がタッチパッド１３に指等の物体を接触させたまま移動させる操作である。スライド操作では、タップ操作と比べてタッチパッド１３に長時間接触し、かつ、接触した位置の範囲が広くなる。タッチパッド１３は、検知した接触の接触時間および接触位置に基づき、操作者からの入力操作の種類を判定する。タップ操作であると判定した場合、タッチパッド１３は、操作者からタップ操作を受け付けたことを示すタップ操作情報を制御部１１へ出力する。一方、スライド操作であると判定した場合、タッチパッド１３は、そのスライド操作における指等の移動距離と移動方向とを、接触位置の変化から認識する。そして、タッチパッド１３は、認識した移動距離と移動方向とを示すスライド操作情報を制御部１１へ出力する。
【００２２】
制御部１１は、タッチパネル１２に表示される画像と、その画像のタッチパネル１２における表示位置とを対応付けて記憶している。また、制御部１１は、タッチパネル１２から出力された検知情報を受け付ける。そして、制御部１１は、受け付けた検知情報が示す接触の位置に基づいた処理を実行する。また、制御部１１は、タッチパッド１３から出力されたタップ操作情報およびスライド操作情報を受け付ける。制御部１１は、タップ操作情報を受け付けると、タッチパッド操作モードに移行する。タッチパッド操作モードとは、操作者のタッチパッド１３に対する入力操作に応じ、タッチパネル１２に表示されている表示画像の表示状態を変化させるためのモードである。なお、タッチパッド操作モードに移行している場合でも、制御部１１は、タッチパネル１２から出力された検知情報を受け付け、受け付けた検知情報が示す接触の位置に基づいた処理を実行することができることに変わりはない。なお、制御部１１は、所定の時間の経過を測定するためのタイマー（不図示）を備えており、タイマーの経過時間が所定の時間を超過すると、タッチパッド操作モードに移行する前のモードである通常モードに移行する。
【００２３】
ここで、タッチパッド操作モードについて説明する。
【００２４】
タッチパッド操作モードにおいて操作者は、タッチパッド１３に対してスライド操作を行うことで、タッチパネル１２に表示されている表示画像の表示状態を複数の種類の態様のそれぞれで変化させることができる。本実施形態においては、以下に示す（１）〜（３）の３つの種類の態様があるものとするが、態様の種類は３つに限定されるものではない。
【００２５】
（１）タッチパネル１２に表示された表示画像の表示倍率の拡大または縮小（以降、拡大縮小態様という）
（２）タッチパネル１２に表示された表示画像のスクロール（以降、スクロール態様という）
（３）タッチパネル１２に表示された表示画像の回転（以降、回転態様という）
制御部１１は、通常モードにある場合に、タッチパッド１３から出力されたタップ操作情報を受け付けると、タッチパッド操作モードに移行するとともに、上記（１）の拡大縮小態様を選択する。そして、制御部１１は、次のタップ操作情報を受け付けると、上記（２）のスクロール態様を選択し、さらに、次のタップ操作情報を受け付けると、上記（３）の回転態様を選択する。そして、次のタップ操作情報を受け付けると、制御部１１は再度、上記（１）の拡大縮小態様を選択する。このように、制御部１１は、タッチパッド操作モードに移行している間、タップ操作情報を受け付ける度に、上記（１）〜（３）のいずれかの態様を選択する。また、制御部１１が上記（１）〜（３）のいずれかの態様を選択する順番は予め決められている。なお、ここでは、タップ操作情報を受け付ける度に、制御部１１が上記（１）〜（３）を、（１）→（２）→（３）の順番で選択する場合を説明したが、これは一例である。そして、制御部１１は、上記（１）〜（３）の態様のうちのいずれかの態様を選択すると、選択した態様に対応付けられたガイダンス情報をタッチパネル１２に表示させる。
【００２６】
図３は、図１に示したタッチパネル１２に表示されるガイダンス情報の一例を説明するための図である。
【００２７】
ガイダンス情報５１〜５３のそれぞれは図３に示すように、タッチパネル１２の表示画面上のタッチパッド１３側に、タッチパッド１３に沿うように表示される。
【００２８】
ガイダンス情報５１〜５３のそれぞれがタッチパネル１２に表示されることで、操作者は、表示状態を変化させるときのスライド操作における指等の移動方向を認識することができる。
【００２９】
図３（ａ）に示すガイダンス情報５１は、拡大縮小態様に対応付けられた情報である。ガイダンス情報５１は、表示画像の表示倍率を拡大させるときのスライド操作における指等の移動方向と、表示画像の表示倍率を縮小させるときのスライド操作における指等の移動方向とを操作者が認識できる情報になっている。具体的には、ガイダンス情報５１は、スライド操作における移動方向が、図３（ａ）の図中上方向である場合に表示画像の表示倍率が拡大され、図３（ａ）の図中下方向である場合に表示画像の表示倍率が縮小されることを示している。制御部１１は、拡大縮小態様を選択している状態で、タッチパッド１３から出力されたスライド操作情報を受け付けると、受け付けたスライド操作情報が示す移動方向に基づき、表示画像を拡大させるか縮小させるかを決定する。そして、制御部１１は、表示画像を拡大させると決定した場合、受け付けたスライド操作情報が示す移動距離に基づいた倍率で表示画像を拡大させる。一方、制御部１１は、表示画像を縮小させると決定した場合、受け付けたスライド操作情報が示す移動距離に基づいた倍率で表示画像を縮小させる。
【００３０】
図３（ｂ）に示すガイダンス情報５２は、スクロール態様に対応付けられた情報である。ガイダンス情報５２は、表示画像をスクロールさせるときのスライド操作における指等の移動方向を操作者が認識できる情報になっている。具体的には、ガイダンス情報５２は、スライド操作における移動方向が、図３（ｂ）の図中上方向である場合に表示画像がその方向にスクロールされ、図３（ｂ）の図中下方向である場合に表示画像がその方向にスクロールされることを示している。制御部１１は、スクロール態様を選択している状態で、タッチパッド１３から出力されたスライド操作情報を受け付けると、受け付けたスライド操作情報が示す移動方向に基づき、表示画像を図３（ｂ）の図中上方向にスクロールさせるか下方向にスクロールさせるかを決定する。そして、制御部１１は、表示画像を上方向にスライドさせると決定した場合、受け付けたスライド操作情報が示す移動距離に基づいた長さだけ、表示画像を上方向にスクロールさせる。一方、制御部１１は、表示画像を下方向にスライドさせると決定した場合、受け付けたスライド操作情報が示す移動距離に基づいた長さだけ、表示画像を下方向にスクロールさせる。
【００３１】
図３（ｃ）に示すガイダンス情報５３は、回転動作に対応付けられた情報である。ガイダンス情報５２は、表示画像を回転させるときのスライド操作における指等の移動方向を操作者が認識できる情報になっている。具体的には、ガイダンス情報５３は、スライド操作における移動方向が、図３（ｃ）の図中上方向である場合に表示画像が左回転され、図３（ａ）の図中下方向である場合に表示画像が右回転されることを示している。制御部１１は、回転態様を選択している状態で、タッチパッド１３から出力されたスライド操作情報を受け付けると、受け付けたスライド操作情報が示す移動方向に基づき、表示画像を右回転させるか左回転させるかを決定する。そして、制御部１１は、表示画像を右回転させると決定した場合、受け付けたスライド情報が示す移動距離に基づいた角度で表示画像を右回転させる。一方、制御部１１は、表示画像を左回転させると決定した場合、受け付けたスライド情報が示す移動距離に基づいた角度で表示画像を左回転させる。
【００３２】
なお、制御部１１は、操作者が表示画像を視認するのを妨げないように、上述したガイダンス情報５１〜５３を、表示してから一定時間の経過後に非表示にする。
【００３３】
以下に、上記のように構成された携帯表示装置１０の動作について説明する。
【００３４】
図４は、図１〜図３に示した携帯表示装置１０の動作を説明するためのフローチャートである。なお、ここでは、制御部１１は、タッチパッド操作モードにおいて、上記（１）〜（３）の態様を選択することが可能であるものとする。
【００３５】
まず、操作者は、タッチパッド１３に対してタップ操作を行う。
【００３６】
タッチパッド１３は、接触を検知することでタップ操作を受け付ける（ステップＳ１）。
【００３７】
操作者からのタップ操作を受け付けたタッチパッド１３は、タップ操作情報を制御部１１へ出力する。
【００３８】
タッチパッド１３から出力されたタップ操作情報を受け付けた制御部１１は、タッチパッド操作モードへ移行し（ステップＳ２）、上記（１）〜（３）の３つの態様のうち、最初の順番の態様を選択する（ステップＳ３）。
【００３９】
次に、制御部１１は、選択された態様に対応するガイダンス情報をタッチパネル１２に表示させる（ステップＳ４）。例えば、拡大縮小態様が選択されている場合には、図３（ａ）に示したガイダンス情報５１がタッチパネル１２に表示される。
【００４０】
次に、制御部１１は、タイマーをスタートさせる（ステップＳ５）。
【００４１】
次に、制御部１１は、タッチパッド１３から出力されたタップ操作情報を受け付けたかどうかを確認する（ステップＳ６）。
【００４２】
ステップＳ６における確認の結果、タッチパッド１３から出力されたタップ操作情報を受け付けた場合、制御部１１は、選択している態様の次の順番の態様を選択する（ステップＳ７）。そして、ステップＳ４の動作へ遷移する。
【００４３】
一方、ステップＳ６における確認の結果、タッチパッド１３から出力されたタップ操作情報を受け付けていない場合、制御部１１は、タッチパッド１３から出力されたスライド操作情報を受け付けたかどうかを確認する（ステップＳ８）。
【００４４】
ステップＳ８における確認の結果、タッチパッド１３から出力されたスライド操作情報を受け付けた場合、制御部１１は、選択している態様を確認する（ステップＳ９）。
【００４５】
ステップＳ９における確認の結果、選択している態様が拡大縮小態様である場合、受け付けたスライド操作情報が示す移動方向および移動距離に基づき、タッチパネル１２に表示された表示画像を拡大または縮小させる（ステップＳ１０）。
【００４６】
次に、制御部１１は、タイマーをリセットして再スタートさせる（ステップＳ１１）。そして、ステップＳ６の動作へ遷移する。
【００４７】
また、ステップＳ９における確認の結果、選択している態様がスクロール態様である場合、受け付けたスライド操作情報が示す移動方向および移動距離に基づき、タッチパネル１２に表示された表示画像をスクロールさせる（ステップＳ１２）。そして、ステップＳ１１の動作へ遷移する。
【００４８】
また、ステップＳ９における確認の結果、選択している態様が回転態様である場合、受け付けたスライド操作情報が示す移動方向および移動距離に基づき、タッチパネル１２に表示された表示画像を回転させる（ステップＳ１３）。そして、ステップＳ１１の動作へ遷移する。
【００４９】
ここで、ステップＳ８における確認の結果、タッチパッド１３から出力されたスライド操作情報を受け付けていない場合、制御部１１は、タイマーの経過時間が所定の時間を超過したかどうかを確認する（ステップＳ１４）。
【００５０】
ステップＳ１４における確認の結果、タイマーの経過時間が所定の時間を超過していない場合、ステップＳ６の動作へ遷移する。
【００５１】
一方、ステップＳ１４における確認の結果、タイマーの経過時間が所定の時間を超過している場合、制御部１１は、通常モードへ移行する（ステップＳ１５）。
【００５２】
このように本実施形態において携帯表示装置１０は、筐体の所定の面に設けられたタッチパネル１２を有する。また、携帯表示装置１０は、筐体のタッチパネル１２が設けられた面とは異なる面に設けられ、物体が接触した位置を検知することで、物体が接触しながら移動するスライド操作を含む複数の種類の入力操作のそれぞれを受け付けるタッチパッド１３を有する。
【００５３】
また、携帯表示装置１０は、複数の種類の入力操作のうちタップ操作がタッチパッド１３にて受け付けられると、タッチパネル１２に表示された表示画像の表示状態を変化させる際の複数の種類の態様のいずれかを選択し、タッチパッド１３にてスライド操作が受け付けられると、当該スライド操作における指等の移動方向と移動距離とに基づき、表示画像の表示状態を、選択した態様で変化させる制御部１１を有する。
【００５４】
制御部１１は、複数の種類の態様のいずれかを選択すると、選択した態様で表示画像の表示状態を変化させるときのスライド操作における指等の移動方向を操作者に認識させるためのガイダンス情報をタッチパネル１２に表示させる。
【００５５】
これにより、操作上の利便性を確保しつつ、その操作と保持とを片手で同時に行うことが可能となる。
【００５６】
また、本実施形態では、一般的な携帯表示装置の側面に設けられていることが多いボタン式の入力装置の代わりとしてタッチパッド１３を用いることができる。そのため、ボタン数に制限されることなく、携帯表示装置に対する様々な操作をタッチパッド１３を用いて行うことができる。
【００５７】
例えば、携帯表示装置において音楽を再生しているときの音量調整手段としてタッチパッド１３を用いることができる。この場合、上述したタッチパッド操作モードに移行している状態において、上述した（３）の回転態様が選択されている場合に、制御部１１がタップ操作情報を受け付けると、音量調整手段としてタッチパッド１３を用いることができるようにすることもできる。その際、スライド操作において、再生している音楽の音量を大きくするときの移動方向と、音量を小さくするときの移動方向とを示すガイダンス情報をタッチパネル１２に表示することもできる。
【００５８】
図５は、図１に示したタッチパネル１２に表示されるガイダンス情報の他の例を説明するための図である。
【００５９】
図５に示すガイダンス情報５４は、再生している音楽の音量を調整するときのスライド操作における移動方向を操作者が認識できる情報になっている。具体的には、ガイダンス情報５４は、スライド操作における移動方向が、図５の図中上方向である場合に音量が大きくなり、図５の図中下方向である場合に音量が小さくなることを示している。
【００６０】
なお、本実施形態においては、タッチパッド１３にてタップ操作が受け付けられた場合に、制御部１１が、表示画像の表示状態を変化させる際の態様を選択する場合について説明した。これ以外にも例えば、タッチパッド１３にて例えばダブルタップ操作が受け付けられた場合に、制御部１１が、表示画像の表示状態を変化させる際の態様を選択するようにしてもよい。
【００６１】
また、本実施形態においては、タッチパッド操作モードにおいてタイマーの経過時間が所定の時間を超過した場合に、通常モードへ移行する場合について説明した。タッチパッド操作モードから通常モードへ移行する方法としては、これ以外にも例えば、タップ操作が受け付けられた場合に制御部１１が選択する態様が上記の（１）〜（３）であるとすると、制御部１１が（３）の態様を選択しているときにタップ操作が受け付けられると、通常モードへ移行するという方法も考えられる。また、制御部１１がガイダンス情報を非表示にするとともに、通常モードへ移行するようにしてもよい。
【００６２】
また、本実施形態においては、制御部１１は、ガイダンス情報を表示してから一定時間の経過後に、表示したガイダンス情報を非表示にする場合について説明した。これ以外にも例えば、タッチパッド１３にて例えばダブルタップ操作が受け付けられた場合や、タッチパネル１２のガイダンス情報が表示された位置に操作者の指等の物体が接触した場合等に、表示したガイダンス情報を非表示にするようにしてもよい。
【００６３】
（第２の実施形態）
図６は、本発明の携帯表示装置の第２の実施形態の構成を示すブロック図である。図６において、図１に示したものと同一の構成のものには同一の符号を付してある。
【００６４】
本実施形態において携帯表示装置２０は、筐体の所定の面に設けられたタッチパネル１２を有する。また、携帯表示装置２０は、筐体のタッチパネル１２が設けられた面とは異なる面に設けられ、物体が接触した位置を検知することで、物体が接触しながら移動するスライド操作を含む複数の種類の入力操作のそれぞれを受け付けるタッチパッド１３を有する。
【００６５】
また、携帯表示装置２０は、複数の種類の入力操作のうちタップ操作がタッチパッド１３にて受け付けられると、タッチパネル１２に表示された表示画像の表示状態を変化させる際の複数の種類の態様のいずれかを選択し、タッチパッド１３にてスライド操作が受け付けられると、当該スライド操作における指等の移動方向と移動距離とに基づき、表示画像の表示状態を、選択した態様で変化させる制御部１１を有する。
【００６６】
制御部１１は、複数の種類の態様のいずれかを選択すると、選択した態様で表示画像の表示状態を変化させるときのスライド操作における指等の移動方向を操作者に認識させるためのガイダンス情報をタッチパネル１２に表示させる。
【００６７】
これにより、操作上の利便性を確保しつつ、その操作と保持とを片手で同時に行うことが可能となる。
【００６８】
なお、上述した第１および第２の実施形態では、物体の接触を検知するタッチパッド１３を入力部として用いた場合について説明した。入力部としてはこれ以外にも、物体の近接を検知することで、物体が近接しながら移動するスライド操作を含む複数の種類の入力操作を受け付けることが可能な装置を用いてもよい。
【符号の説明】
【００６９】
１０，２０    携帯表示装置
１１    制御部
１２    タッチパネル
１３    タッチパッド
１４    記憶部
５１〜５４    ガイダンス情報
【図１】
2012230615.tif 000003
【図２】
2012230615.tif 000004
【図３】
2012230615.tif 000005
【図４】
2012230615.tif 000006
【図５】
2012230615.tif 000007
【図６】
2012230615.tif 000008